(57)【特許請求の範囲】
【請求項１】
過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、前記記憶手段に記録した配置薬品名、置数、及び使用数に基づいて使用履歴を表示するための表示データを編集する編集手段と、使用履歴に置数及び使用数を、一方の数量を表す数字を回転させ又は数字以外の図形に変換して、他方の数量を表す数字に重ねて表示するか、置数及び使用数を表す数字のサイズに大小関係を与えて近接させて表示し得る様に前記表示データを加工する加工手段と、表示データを出力する出力手段と、を備えていることを特徴とする配置薬の使用履歴表示装置。
【請求項２】
過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に使用数及び残数を、一方の数量を表す数字を回転させ又は数字以外の図形に変換して、他方の数量を表す数字に重ねて表示するか、使用数及び残数を表す数字のサイズに大小関係を与えて近接させて表示し得る様に前記表示データを加工する加工手段と、表示データを出力する出力手段と、を備えていることを特徴とする配置薬の使用履歴表示装置。
【請求項３】
過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に置数及び残数を、一方の数量を表す数字を回転させ又は数字以外の図形に変換して、他方の数量を表す数字に重ねて表示するか、置数及び残数を表す数字のサイズに大小関係を与えて近接させて表示し得る様に前記表示データを加工する加工手段と、表示データを出力する出力手段と、を備えていることを特徴とする配置薬の使用履歴表示装置。
【請求項４】
コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、前記記憶手段に記録した配置薬品名、置数、及び使用数に基づいて使用履歴を表示するための表示データを編集する編集手段と、使用履歴に置数及び使用数を、一方の数量を表す数字を回転させ又は数字以外の図形に変換して、他方の数量を表す数字に重ねて表示するか、置数及び使用数を表す数字のサイズに大小関係を与えて近接させて表示し得る様に前記表示データを加工する加工手段と、表示データを出力する出力手段としての機能を与える配置薬の使用履歴表示プログラム。
【請求項５】
コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に使用数及び残数を、一方の数量を表す数字を回転させ又は数字以外の図形に変換して、他方の数量を表す数字に重ねて表示するか、使用数及び残数を表す数字のサイズに大小関係を与えて近接させて表示し得る様に前記表示データを加工する加工手段と、表示データを出力する出力手段としての機能を与える配置薬の使用履歴表示プログラム。
【請求項６】
コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に置数及び残数を、一方の数量を表す数字を回転させ又は数字以外の図形に変換して、他方の数量を表す数字に重ねて表示するか、置数及び残数を表す数字のサイズに大小関係を与えて近接させて表示し得る様に前記表示データを加工する加工手段と、表示データを出力する出力手段としての機能を与える配置薬の使用履歴表示プログラム。
【発明の詳細な説明】
【技術分野】
【０００１】
本発明は、主として配置薬の使用状態を簡単に把握できるようにした配置薬の使用履歴表示装置及び配置薬の使用履歴表示プログラムに関するものである。
【背景技術】
【０００２】
配置薬は、古くから他の商品と異なる先用後利方法によって販売されている。この販売形態とは、業者が得意先の家に訪問して数種類の薬品類を先に預け置き、それから数ヶ月の経過後、再び得意先の家に訪問して預け置いた薬品類の数量を照合し、使用された分だけ料金の支払いを受けるものである。その際、配置薬品目やその置数を記録し販売管理を容易に行うために精算・請求書等の取引書類が使用されている。
【０００３】
この取引書類の代表的なものとなっている精算・請求書は、精算・請求控書と納品書、精算・請求書等の複数枚綴りとなっており、図８に示すように、配置薬品名や前回の置数、今回の使用数等の表記欄４１ａ，４１ｂ、４１ｃの他に、過去数回の訪問毎の使用状態を表記する使用履歴表記欄４２が備えてあり、過去のデータを参考にして配置薬品とその置数を決めるようにしていた。
【０００４】
従来の精算・請求書４の使用履歴表記欄４２は、最上部に過去に訪問した年月を表記する訪問年月欄４２ａを備え、その下に各配置薬品毎の置数と使用数を表記する置数欄４２ｂと使用数欄４２ｃとが別個に横に並べて備えてあった。使用数の表記方法としては、置数の全てが使用された場合、使用数欄に表記した数字を丸で囲む等して、使用頻度の高い薬品類が一目で分かるように工夫されていた。
【発明の開示】
【発明が解決しようとする課題】
【０００５】
しかしながら、配置薬品毎の置数と使用数とがそれぞれ別個の升に表記されていたため、１枚の精算・請求書に表記できる過去の使用履歴の回数に限りがあり、得意先の情報を十分に表示できているとは言えなかった。そのため、どの時期にどの様な薬品類の使用頻度が高くなるか等の的確な判断がしづらくなり、その結果、殆ど使用されることがない薬品類を配置してしまったりして、得意先の希望に則さないだけでなく、薬品類は製造から５年を経過すると廃棄処分しなければならないので、使用頻度の少ない薬品類を配置しておくと、５年の間使用されなかった薬品類が無駄になってしまうという問題があった。
【０００６】
また、得意先情報はコンピュータで管理するため、担当者は得意先から営業所に戻って得意先の新しいデータを入力する必要があるが、その場合でも、コンピュータの画面等の表示手段に表示できる使用履歴に限りがあるため、管理できる得意先の過去の使用履歴の回数が少なく、上記と同様に得意先の情報が十分に得られないといった問題があった。
【０００７】
そこで、本発明は上記事情に鑑みてなされたものであり、得意先のデータをコンピュータ管理する際において、過去の使用履歴を多数表示できる配置薬の使用履歴表示装置及び配置薬の使用履歴表示プログラムを提供することを目的とする。
【課題を解決するための手段】
【０００８】
上記目的を達成するために、本発明のうち請求項１記載の配置薬の使用履歴表示装置は、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、前記記憶手段に記録した配置薬品名、置数、及び使用数に基づいて使用履歴を表示するための表示データを編集する編集手段と、使用履歴に置数及び使用数を、一方の数量を表す数字を回転させ又は数字以外の図形に変換して、他方の数量を表す数字に重ねて表示するか、置数及び使用数を表す数字のサイズに大小関係を与えて近接させて表示し得る様に前記表示データを加工する加工手段と、表示データを出力する出力手段と、を備えていることを特徴とする。
【０００９】
請求項２記載の配置薬の使用履歴表示装置は、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に使用数及び残数を、一方の数量を表す数字を回転させ又は数字以外の図形に変換して、他方の数量を表す数字に重ねて表示するか、使用数及び残数を表す数字のサイズに大小関係を与えて近接させて表示し得る様に前記表示データを加工する加工手段と、表示データを出力する出力手段と、を備えていることを特徴とする。
【００１０】
請求項３記載の配置薬の使用履歴表示装置は、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に置数及び残数を、一方の数量を表す数字を回転させ又は数字以外の図形に変換して、他方の数量を表す数字に重ねて表示するか、置数及び残数を表す数字のサイズに大小関係を与えて近接させて表示し得る様に前記表示データを加工する加工手段と、表示データを出力する出力手段と、を備えていることを特徴とする。
【００１１】
請求項４記載の配置薬の使用履歴表示プログラムは、コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、前記記憶手段に記録した配置薬品名、置数、及び使用数に基づいて使用履歴を表示するための表示データを編集する編集手段と、使用履歴に置数及び使用数を、一方の数量を表す数字を回転させ又は数字以外の図形に変換して、他方の数量を表す数字に重ねて表示するか、置数及び使用数を表す数字のサイズに大小関係を与えて近接させて表示し得る様に前記表示データを加工する加工手段と、表示データを出力する出力手段としての機能を与えるものである。
【００１２】
請求項５記載の配置薬の使用履歴表示プログラムは、コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に使用数及び残数を、一方の数量を表す数字を回転させ又は数字以外の図形に変換して、他方の数量を表す数字に重ねて表示するか、使用数及び残数を表す数字のサイズに大小関係を与えて近接させて表示し得る様に前記表示データを加工する加工手段と、表示データを出力する出力手段としての機能を与えるものである。
【００１３】
請求項６記載の配置薬の使用履歴表示プログラムは、コンピュータに、過去の訪問において配置した配置薬品名、並びに過去の各訪問毎の置数、及び使用数をそれぞれ別個の升に入力する入力手段と、当該入力手段で入力した配置薬品名、置数、及び使用数を記録する記憶手段と、当該記憶手段に記録した置数、及び使用数から残数を算出する演算手段と、前記記憶手段に記録した配置薬品名、置数、使用数、及び前記演算手段で演算した残数に基づいて使用履歴を表示するための表示データを編集する編集手段と、使用履歴に置数及び残数を、一方の数量を表す数字を回転させ又は数字以外の図形に変換して、他方の数量を表す数字に重ねて表示するか、置数及び残数を表す数字のサイズに大小関係を与えて近接させて表示し得る様に前記表示データを加工する加工手段と、表示データを出力する出力手段としての機能を与えるものである。
【発明の効果】
【００１４】
本発明の配置薬の使用履歴表示装置及び配置薬の使用履歴表示プログラムによれば、使用履歴に二種類の数量を、一方の数量を表す数字を回転させ又は数字以外の図形に変換して、他方の数量を表す数字に重ねて表示するか、数字のサイズの大小のように主従関係が客観的に認識できる様に近接して表示することにより、従来、二升使用して表示していた配置薬の使用履歴を一升相当の面積で表示することができるので、単純に計算しても使用履歴表記欄に表示できる使用履歴が従来の２倍となり、ディスプレイ等の出力手段に使用履歴を多数表示することが可能となり、その結果、得意先に応じて配置する配置薬品の種類や置数を的確に判断することができる。
【発明を実施するための最良の形態】
【００１５】
以下、本発明の実施形態を図面に基づいて説明する。
【００１６】
図１に示すように、本発明の配置薬の使用履歴表示装置は、パーソナルコンピュータ等のコンピュータシステムであり、そのハードウェア構成としてはＣＰＵ、メモリ、インターフェース、キーボードやマウスといった入力装置及びディスプレイやプリンタといった出力装置を備えている。
【００１７】
上記ハードウェアに配置薬の使用履歴表示プログラムをインストールし、そのプログラムを稼働させることで、図２に示すように、入力手段、記憶手段、演算手段、編集手段、加工手段、出力手段が機能する。
【００１８】
入力手段は、図３に示すような出力装置のディスプレイに表示される入力画面１上で、配置薬の使用履歴を作成するのに必要なデータをキーボードやマウスからなる入力装置によって入力する。必要なデータとしては、過去の訪問において配置した配置薬品名と、過去の各訪問毎の置数、及び使用数である。入力画面１上で各データを入力する場合、配置薬品名は配置薬品名欄１１、置数は置数欄１２（入力画面上では「前」の欄）、使用数は使用数欄１３（入力画面上では「配」の欄）の別個の欄の升内にそれぞれ入力する。
【００１９】
記憶手段は、前記入力手段で入力した配置薬品名のテキストデータと置数と使用数の数値データをメモリに記録したり、後述する演算手段、編集手段、加工手段による処理結果（既処理データ）をメモリに記録する。
【００２０】
演算手段は、メモリから前記記憶手段で記録した置数と使用数の数値データを取得し、置数から使用数を減算して残数を算出し、その残数の数値データをメモリに記録させる。尚、この演算手段は、置数と使用数を使用履歴として出力装置に表示するように設定した場合、残数を算出する必要がないため設けなくともよい。
【００２１】
編集手段は、メモリに記憶された配置薬品名、置数、使用数、及び残数の各データに基づいて使用履歴を出力装置に表示するための表示データを編集し、その表示データをメモリに記憶させる。そのフローチャートを図４に示す。まず、メモリからデータを取得し、次に、取得したデータが使用履歴として出力装置に表示する際に表示加工が必要かどうかを判断し、不要であれば当該データを使用履歴に編集して表示データとしてメモリに記録し、必要であれば後述する加工手段によって表示データとする際に適宜に加工を施す。次に、これまでの処理がメモリ内の全データについて終了しているかどうかを判断し、終了していなければメモリからデータの取得を開始し、終了すれば後述する出力手段を稼働させる。ここで表示データとは、位置、フォント、サイズ、色等の組み合わせである。
【００２２】
加工手段は、使用履歴に置数と使用数、使用数と残数、又は置数と残数の２つの数値を判別可能に重ねて表示するか、２つの数値に主従関係を与えて近接させて表示し得る様に前記表示データを加工するものである。各数値を判別可能に重ねて表示するには、回転表示手段と修飾表示手段があり、各数値に主従関係を与えて近接させて表示するには拡大・縮小手段がある。尚、この３手段のうち、どの手段を用いて表示するかは任意に設定及び変更できるものである。
【００２３】
回転表示手段は、前記編集手段で表示加工が必要と判断された数値毎の表示データを受け、例えば４５°、９０°、１８０°等に回転させると共に、使用履歴に表示する２つの数値のうちの一方のデータと重ねて表示する表示データを形成し、編集手段に返す。
【００２４】
修飾表示手段は、前記編集手段で表示加工が必要と判断された数値毎の表示データを受け、例えば図形や記号等の数字以外の表示データに変換又は置換し、使用履歴に表示する２つの数値のうちの一方のデータと重ねて表示する表示データを形成し、編集手段に返す。数字以外の具体的なものとしては、線や円等を挙げることができ、数値の数分の線を縦又は横一列に並べて表示したりするものである。
【００２５】
拡大・縮小表示手段は、前記編集手段で表示加工が必要と判断された数値毎の表示データを受け、拡大又は縮小すると共に、使用履歴に主従関係を与えて表示する２つの数値のうちの一方のデータと隣接して表示する表示データを形成し、編集手段に返す。
【００２６】
ここで、使用履歴に置数と使用数、使用数と残数、又は置数と残数の２つの数値を、より一層判別可能に、又は客観的に認識可能に表示するために、各表示手段によって表示加工が施された表示データの色を、表示する２つの数値のうちの一方の表示データの色と異ならせることが望ましい。
【００２７】
出力手段は、前記編集手段によって編集された表示データをメモリから取得し、ディスプレイやプリンタ等の出力装置に使用履歴として出力する。
【００２８】
図５は、ディスプレイに出力される過去の各訪問毎の使用履歴の出力画面２を示したものである。出力画面２は主表記欄２１及び使用履歴表記欄２２を設けており、主表記欄２１には過去の訪問において配置した配置薬品のコードを表示するコード欄２１ａと、配置した配置薬品名を表示する配置薬品名欄２１ｂと、配置薬品の売価を表示する売価欄２１ｃと、前回の訪問の際に配置した配置薬品の置数を表示する置数欄２１ｄと、前回の訪問から今回の訪問までの間に使用された配置薬品の使用数を記入するための使用数欄２１ｅとが設けてある。使用履歴表記欄２２は、過去の各訪問毎の配置薬品の使用履歴を表示する欄であり、過去１２回の訪問まで遡って使用履歴を表示することが可能であり、過去の各訪問毎の置数と使用数を使用履歴表記欄２２の一升の中に判別可能に重ねて表示している。判別可能に表示する方法としては、修飾表示手段によって使用数に表示加工を施し、使用数の数値を縦一列に並ぶ線で表示し、且つその線を置数と重ねて表示すると共に、線の色を置数の色と異ならせて表示するものである。
尚、使用履歴表記欄２２外には、過去の訪問毎の訪問年月日を表示する訪問年月日欄２３を設け、いつ訪問したかが明確になるようにしてある。また、出力画面２には上述した各欄２１，２２，２３の他に、得意先に必要な情報等を表示する欄２４が適宜設けてある。
【００２９】
図６は、プリンタによって出力された使用履歴を表示する欄（使用履歴表記欄）が割り当てられた配置薬の取引書類（精算・請求書３）を示したものである。精算・請求書３は、前記出力画面２と同様に、主表記欄３１と使用履歴表記欄３２を設けており、主表記欄３１には、過去の訪問において配置した配置薬品のコードを表示するコード欄３１ａと、配置した配置薬品名を表示する配置薬品名欄３１ｂと、配置薬品の単価を表示する単価欄３１ｃと、前回の訪問の際に配置した配置薬品の置数を表示する置数欄３１ｄと、前回の訪問から今回の訪問までの間に使用された配置薬品の使用数を記入する使用数欄３１ｅとが設けてあり、使用履歴表記欄３２には、最上部に過去の各訪問毎の年月を表示する訪問年月欄３２ａを横一列に設け、該訪問年月欄３２ａの下に配置薬品毎の使用履歴を表示する使用履歴欄３２ｂが設けてある。使用履歴欄３２ｂは、前記出力画面２と同様に、過去の各訪問毎の置数と使用数を一升の中に判別可能に表示するものであり、その表示方法としては、修飾表示手段によって使用数に表示加工を施し、使用数の数値を縦一列に並ぶ線で表示し、且つその線を置数と重ねて表示すると共に、線の色を置数の色と異ならせて表示するものである。このように使用履歴を表示することにより、使用履歴表記欄３２には、従来の精算・請求書の二倍の使用履歴を表示することが可能となっている。
尚、精算・請求書３には、主表記欄３１と使用履歴表記欄３２の他に、得意先に必要な情報を表示する欄３３及び精算・請求に必要な情報を表示する欄３４等が適宜設けてある。
【００３０】
図７（ａ）（ｂ）は、図６に示した精算・請求書３の使用履歴表記欄３２に表示する使用履歴の他の表示方法を示すものである。使用履歴としては、過去の各訪問毎の置数と使用数を一升の中に判別可能に表示するものである。図７（ａ）は、回転表示手段によって使用数に表示加工を施し、使用数を反時計回りに９０°回転させ且つ同じ升の中に表示される置数に重ねて表示すると共に、置数の色と異ならせて表示したものである。このように表示すれば、一升の中に置数と使用数を重ねて表示しても、各数字を容易に判別することが可能であることは勿論のこと、置数と使用数がそれぞれ数字で表示されているため、修飾表示手段によって線等に変換又は置換して表示した場合のように線の本数を数える手間がなくなり、各数量を瞬時に認識することができる。
図７（ｂ）は、拡大・縮小表示手段によって使用数に表示加工を施し、使用数を縮小し且つ同じ升の中に表示される置数の斜め上に添えて表示させると共に、置数の色と異ならせて表示したものである。このように表示すれば、一升の中で置数と使用数とが重なり合うことなく表示できるので、各数量を瞬時に判別することが可能である。この表示方法は、配置薬品の置数が多い場合に非常に都合が良い。
【００３１】
尚、使用履歴に表示するデータは、本実施形態の置数と使用数に限定されるものではなく、使用数と残数、又は置数と残数であっても勿論よく、どのデータを使用履歴として重視するかによって表示させるデータを決定すればよい。ここで、使用履歴に表示する２つのデータのうちの１つのデータを残数に設定し、且つ残数がゼロ、即ち置数分の配置薬品が全て使用された場合は、使用履歴の升の中に何も表示せずに空白とする表示方法にしてもよい。
また、使用履歴に表示した２つのデータを識別するには、例えば置数と使用数、又は置数と残数を表示した場合は、置数が使用数を上回ることがないので数値の大きい方のデータが置数だと容易に認識できる。一方、使用数と残数を表示した場合は、使用履歴としては残数よりも使用数が重要となるので、例えば主従関係を与える際に主に使用数を表示する等して、各データが容易に識別できるように工夫することが望ましい。
【図面の簡単な説明】
【００３２】
【図１】本発明の配置薬の使用履歴表示装置のブロック図である。
【図２】配置薬の使用履歴表示装置の機能ブロック図である。
【図３】入力画面を示す図面である。
【図４】配置薬の使用履歴表示プログラムの要部のフローチャートである。
【図５】使用履歴を表示した出力画面を示す図面である。
【図６】配置薬の取引書類（精算・請求書）を示す図面である。
【図７（ａ）（ｂ）】配置薬の取引書類（精算・請求書）の使用履歴表記欄を拡大して示す図面である。
【図８】従来の配置薬の取引書類（精算・請求書）を示す図面である。
【符号の説明】
【００３３】
１  入力画面
２  出力画面
３，４  精算・請求書
１１，２１ｂ，３１ｂ，４１ａ  配置薬品名欄
１２，２１ｄ，３１ｄ，４１ｂ，４２ｂ  置数欄
１３，２１ｅ，３１ｅ，４１ｃ，４２ｃ  使用数欄
２１，３１  主表記欄
２１ａ，３１ａ  コード欄
２１ｃ  売価欄
２２，３２，４２  使用履歴表記欄
２３  訪問年月日欄
２４，３３，３４  欄
３１ｃ  単価欄
３２ａ，４２ａ  訪問年月欄
３２ｂ  使用履歴欄
【図１】
0004464873.tif 000002
【図２】
0004464873.tif 000003
【図３】
0004464873.tif 000004
【図４】
0004464873.tif 000005
【図５】
0004464873.tif 000006
【図６】
0004464873.tif 000007
【図７（ａ）（ｂ）】
0004464873.tif 000008
【図８】
0004464873.tif 000009